【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
互いに波長の異なるレーザ光を出射することが可能な第１レーザ装置〜第ｎレーザ装置（ｎ：２以上の整数）と、
前記第１レーザ装置〜第ｎレーザ装置から出射したレーザ光をそれぞれ平行化するための第１コリメータ〜第ｎコリメータと、
前記第１コリメータ〜第ｎコリメータで平行化された前記レーザ光を合波して波長多重レーザ光を得る合波器と、
前記波長多重レーザ光を集光して光ファイバへ入射する結合レンズと、
前記光ファイバを保持するレセプタクルと、
前記レセプタクルを保持するレセプタクルホルダと、
前記第１レーザ装置〜第ｎレーザ装置、前記第１コリメータ〜第ｎコリメータ、及び前記合波器を支持する筐体を備えた光モジュールの製造方法であって、
前記レーザ光の光軸方向をＺ方向、前記光軸方向に対して垂直な面に平行で且つ前記第１レーザ装置〜前記第ｎレーザ装置の配列方向をＸ方向、前記Ｘ方向と前記Ｚ方向に垂直な方向をＹ方向（鉛直方向）とすると、
（ａ）  第ｋレーザ装置（ｋ：１〜ｎの任意の自然数）からレーザ光を出射させた状態で前記筐体を前記Ｘ方向及び前記Ｙ方向に移動させて、前記光ファイバから出射するレーザ光の出力が最大となる前記筐体の座標（Ｘｋ０、Ｙｋ０）を取得するステップと、
（ｂ）  前記筐体を前記座標（Ｘｋ０、Ｙｋ０）に移動し、前記第ｋレーザ装置からレーザ光を出射させた状態で前記レセプタクルを前記Ｘ方向、前記Ｙ方向及び前記Ｚ方向に移動させて、前記光ファイバから出射するレーザ光の出力が最大となる前記レセプタクルの座標（ＸｋＬ、ＹｋＬ、ＺｋＬ）及び該座標に前記レセプタクルが位置するとき前記光ファイバから出射するレーザ光の最大出力Ｐｋを取得するステップと、（ｃ）前記ステップ（ａ）で取得した前記座標（Ｘ１０、Ｙ１０）に前記筐体を位置させるとともに前記ステップ（ｂ）で取得した前記座標（Ｘ１Ｌ、Ｙ１Ｌ、Ｚ１Ｌ）に前記レセプタクルを位置させた状態で、前記レセプタクルを前記光軸方向かつ前記結合レンズから遠ざける方向に所定量（ΔＺ）移動させた位置（Ｚ１Ｌ＋ΔＺ）で、前記レセプタクルを前記Ｘ方向と前記Ｙ方向に光軸調整したときに前記光ファイバから出射する前記第１レーザ装置の前記レーザ光の出力が最大となる座標（Ｘ１Ｌ２、Ｙ１Ｌ２）を取得するステップと、
（ｄ）前記ステップ（ａ）で取得した前記筐体の座標（Ｘｋ０、Ｙｋ０）、前記ステップ（ｂ）で取得した前記レセプタクルの座標（ＸｋＬ、ＹｋＬ、ＺｋＬ）、及び前記ステップ（ｃ）で取得した座標（Ｘ１Ｌ２、Ｙ１Ｌ２、Ｚ１Ｌ＋ΔＺ）に基づいて、前記光ファイバに入射するレーザ光の光結合効率が高くなる前記筐体の座標（ＸＰ１、ＹＰ１）と前記レセプタクルの座標（ＸＰ２、ＹＰ２、ＺＰ２）を算出してそれらの座標（ＸＰ１、ＹＰ１）、（ＸＰ２、ＹＰ２、ＺＰ２）に前記筐体と前記レセプタクルをそれぞれ移動させるステップと、を含む光モジュールの製造方法。
【請求項２】
前記第１レーザ装置〜第ｎレーザ装置はそれぞれ、
第１給電装置〜第ｎの給電装置と、
前記第１レーザ装置〜第ｎレーザ装置にそれぞれ対応する第１光出力測定装置〜第ｎ光出力測定装置と、
前記波長多重レーザ光を波長帯域ごとに分離する分波器を備えており、
前記分波器で分離された第１レーザ光〜第ｎレーザ光が対応する前記第１光出力測定装置〜第ｎ光出力測定装置に入射されてその出力が測定されるように構成されている、請求項１に記載の光モジュールの製造方法。
【請求項３】
互いに波長の異なるレーザ光を出射することが可能な第１レーザ装置〜第ｎレーザ装置（ｎ：２以上の整数）と、
前記第１レーザ装置〜第ｎレーザ装置から出射したレーザ光をそれぞれ平行化するための第１コリメータ〜第ｎコリメータと、
前記第１コリメータ〜第ｎコリメータで平行化された前記レーザ光を合波して波長多重レーザ光を得る合波器と、
前記波長多重レーザ光を集光して光ファイバへ入射する結合レンズと、
前記光ファイバを保持するレセプタクルと、
前記レセプタクルを保持するレセプタクルホルダと、
前記第１レーザ装置〜第ｎレーザ装置、前記第１コリメータ〜第ｎコリメータ、及び前記合波器を支持する筐体と、
前記レーザ光の光軸方向をＺ方向、前記光軸方向に対して垂直な面に平行で且つ前記第１レーザ装置〜前記第ｎレーザ装置の配列方向をＸ方向、前記Ｘ方向と前記Ｚ方向に垂直な方向をＹ方向（鉛直方向）としたとき、前記筐体を前記Ｘ方向、Ｙ方向、Ｚ方向、及び前記Ｘ方向、Ｙ方向、Ｚ方向にそれぞれ伸びるＸ軸、Ｙ軸、Ｚ軸を中心としてその周囲に伸びるθＸ方向、θＹ方向、θＺ方向に移動する筐体調整機構と、
前記結合レンズを前記Ｘ方向、Ｙ方向、Ｚ方向に移動するレンズ調整機構と、
前記レセプタクルを前記Ｘ方向、Ｙ方向、Ｚ方向に移動するレセプタクル調整機構と、
前記筐体調整機構、前記レンズ調整機構、及び前記レセプタクル調整機構を制御するコントローラと、
前記光ファイバから出射するレーザ光の出力を測定する光出力測定装置と、
前記第１レーザ装置〜第ｎレーザ装置に電力を供給する給電装置を備えており、
前記コントローラは、
（ａ）  第ｋレーザ装置（ｋ：１〜ｎの任意の自然数）からレーザ光を出射させた状態で前記筐体を前記Ｘ方向及び前記Ｙ方向に移動させて、前記光ファイバから出射するレーザ光の出力が最大となる前記筐体の座標（Ｘｋ０、Ｙｋ０）を取得する動作と、
（ｂ）  前記筐体を前記座標（Ｘｋ０、Ｙｋ０）に移動し、前記第ｋレーザ装置からレーザ光を出射させた状態で前記レセプタクルを前記Ｘ方向、前記Ｙ方向及び前記Ｚ方向に移動させて、前記光ファイバから出射するレーザ光の出力が最大となる前記レセプタクルの座標（ＸｋＬ、ＹｋＬ、ＺｋＬ）及び該座標に前記レセプタクルが位置するとき前記光ファイバから出射するレーザ光の最大出力Ｐｋを取得する動作と、
（ｃ）前記動作（ａ）で取得した前記座標（Ｘ１０、Ｙ１０）に前記筐体を位置させるとともに前記動作（ｂ）で取得した前記座標（Ｘ１Ｌ、Ｙ１Ｌ、Ｚ１Ｌ）に前記レセプタクルを位置させた状態で、前記レセプタクルを前記光軸方向かつ前記結合レンズから遠ざける方向に所定量（ΔＺ）移動させた位置（Ｚ１Ｌ＋ΔＺ）で、前記レセプタクルを前記Ｘ方向と前記Ｙ方向に光軸調整したときに前記光ファイバから出射する前記第１レーザ装置の前記レーザ光の出力が最大となる座標（Ｘ１Ｌ２、Ｙ１Ｌ２）を取得する動作と、
（ｄ）前記動作（ａ）で取得した前記筐体の座標（Ｘｋ０、Ｙｋ０）、前記動作（ｂ）で取得した前記レセプタクルの座標（ＸｋＬ、ＹｋＬ、ＺｋＬ）、及び前記動作（ｃ）で取得した座標（Ｘ１Ｌ２、Ｙ１Ｌ２、Ｚ１Ｌ＋ΔＺ）に基づいて、前記光ファイバに入射するレーザ光の光結合効率が高くなる前記筐体の座標（ＸＰ１、ＹＰ１）と前記レセプタクルの座標（ＸＰ２、ＹＰ２、ＺＰ２）を算出してそれらの座標（ＸＰ１、ＹＰ１）、（ＸＰ２、ＹＰ２、ＺＰ２）に前記筐体と前記レセプタクルをそれぞれ移動させる動作と、を行うように構成されている光モジュール製造装置。
【請求項４】
前記筐体調整機構は筐体連結部を備えており、
前記筐体連結部に前記筐体が着脱自在に連結されるように構成されている、請求項３の光モジュール製造装置。
【請求項５】
前記第１レーザ装置〜第ｎレーザ装置はそれぞれ、
第１給電装置〜第ｎの給電装置と、
前記第１レーザ装置〜第ｎレーザ装置にそれぞれ対応する第１光出力測定装置〜第ｎ光出力測定装置と、
前記波長多重レーザ光を波長帯域ごとに分離する分波器を備えており、
前記分波器で分離された第１レーザ光〜第ｎレーザ光が対応する前記第１光出力測定装置〜第ｎ光出力測定装置に入射されてその出力が測定されるように構成されている、請求項３又は４に記載の光モジュール製造装置。